(57)【要約】【課題】用途の異なる操作ボタンをユーザが簡単に区別できるように配置し、ユーザの誤操作を防止することができるようにする。【解決手段】電気機器を収容する収納部を棚状に設けたラック１から引出し自在に設けた引出体２の上面に配設し、電気機器の各種操作を行う第１の操作部（パネルＰ１）と、引出体２から引出したときに露出する補助体３の上面に配設し、電気機器の第１の操作部（パネルＰ１）とは異なる操作を行う第２の操作部（パネルＰ２）とを備えた。【選択図】  図１
2004153441.tif 000002
【特許請求の範囲】
【請求項１】
ラックに収納可能で機器の操作を行う操作装置であって、
前記ラックから本体を引出して前記機器を操作する第１の操作部と、
前記第１の操作部の下方から補助体を引出して前記第１の操作部とは異なる操作を行う第２の操作部と
を備えたことを特徴とする操作装置。
【請求項２】
前記補助体は起立可能に設けるとともに、
前記補助体が起立したときに正面となる面に前記機器の操作を行う第３の操作部を備えたことを特徴とする請求項１に記載の操作装置。
【請求項３】
前記本体は、前記第１の操作部を前記ラックに収納した状態のまま、前記ラックから前記補助体の前記第２の操作部又は前記第３の操作部を露出可能に構成したことを特徴とする請求項２に記載の操作装置。
【請求項４】
ラックに収納可能で機器の操作を行う操作装置であって、
前記ラックから本体を引出して前記機器を操作する第１の操作部と、
前記第１の操作部の下方から引出して起立可能に設けられた補助体とを備え、
前記補助体を起立したときに正面となる面に前記第１の操作部と異なる操作を行う第２の操作部を備えたことを特徴とする操作装置。
【請求項５】
前記本体は、前記第１の操作部を前記ラックに収納した状態のまま、前記補助体は前記第２の操作部を前記ラックから露出した状態で起立可能に構成したことを特徴とする請求項４に記載の操作装置。
【発明の詳細な説明】
【０００１】
【発明の属する技術分野】
本発明は、映像機器や音響機器等の操作を行う操作装置に関するものであり、特にラック状の筐体に収納する操作装置に関するものである。
【０００２】
【従来の技術】
従来の操作装置としては、ラック状の筐体に映像機器や音響機器等の機器とともに収納されているものが知られている（例えば、特許文献１参照。）。そして、このような操作装置を用いて映像機器や音響機器を操作する際には、操作装置をラック状の筐体から引出して、この引出した操作装置の上面部に設けられた操作ボタンや操作つまみにより、映像機器や音響機器を操作することが行われている。
【０００３】
【特許文献１】
特開平５−４４３７０号公報（第２頁左欄  図８）
【０００４】
【発明が解決しようとする課題】
しかしながら、従来の操作装置は、引出した操作装置の上面部にしか、操作ボタン、操作つまみを配置できないので、例えば、運用時に使用する操作ボタンと設定時に使用する操作ボタンとが同じ操作パネルに一緒に配置されてしまい、どこを操作していいのか分かり難く、誤操作を招く恐れがあるという問題があった。
【０００５】
本発明は、このような問題を解決するために、用途の異なる操作ボタンをユーザが簡単に区別できるように配置し、ユーザの誤操作を防止することができる操作装置を提供することを目的とするものである。
【０００６】
【課題を解決するための手段】
本発明の操作装置は、ラックに収納可能で機器の操作を行う操作装置であって、
前記ラックから本体を引出して前記機器を操作する第１の操作部と、
前記第１の操作部の下方から補助体を引出して前記第１の操作部とは異なる操作を行う第２の操作部とを備えたことを特徴としている。
【０００７】
これにより、少ないスペースで、しかも簡単な構造のもので、機器を操作する第１の操作部と第２の操作部とを設けることができる。従って、例えば、普段頻繁に使用する操作用の機能と普段使用しない操作用の機能とを、簡単にすることができ、操作者が誤操作することを防止することができる。
【０００８】
また、本発明の操作装置は、前記補助体を起立可能に設けるとともに、
前記補助体が起立したときに正面となる面に前記機器の操作を行う第３の操作部を備えたことを特徴としている。
【０００９】
これにより、最小限のスペースで、しかも簡単な構造のもので、機器を操作する第３の操作部を設けることができる。従って、例えば、第３の操作部を用いて、簡易的な設定を行うことができる。
【００１０】
本発明の操作装置は、前記本体を、前記第１の操作部を前記ラックに収納した状態のまま、前記ラックから前記補助体の前記第２の操作部又は前記第３の操作部を露出可能に構成したことを特徴としている。
【００１１】
これにより、例えば、普段頻繁に使用する操作部は収納して外部から見えない状態のまま、（普段はあまり使用しない）詳細設定用の操作部又は簡易操作部のみを露出させて操作することができる。
【００１２】
本発明の操作装置は、ラックに収納可能で機器の操作を行う操作装置であって、
前記ラックから本体を引出して前記機器を操作する第１の操作部と、
前記第１の操作部の下方から引出して起立可能に設けられた補助体とを備え、前記補助体を起立したときに正面となる面に前記第１の操作部と異なる操作を行う第２の操作部を備えたことを特徴としている。
【００１３】
これにより、最小限のスペースで、しかも簡単な構造のもので、多数の操作機器を設置することができる。従って、例えば、普段頻繁に使用する操作用の機器と普段使用しない操作用の機器とを、簡単に区分けして、即ち一方は上面に他方は正面に独立別個に配設することができる。
【００１４】
本発明の操作装置は、前記本体を、前記第１の操作部を前記ラックに収納した状態のまま、前記補助体は前記第２の操作部を前記ラックから露出した状態で起立可能に構成したことを特徴としている。
【００１５】
これにより、例えば、普段頻繁に使用する操作用の機器は収納して外部から見えない状態のまま、（普段はあまり使用しない）詳細操作用の機器又は簡易操作用の機器のみを、簡単に区分けして外部に設置することができる。
【００１６】
【発明の実施の形態】
以下、本発明に係る実施の形態について、添付図面を参照しながら詳細に説明する。
図１及び図２は、本発明の実施の形態に係る音響機器用のラック１を示すものであり、このラック１は、大略構成として、上下方向に複数の収納部１１（図３参照）を設けており、収納部１１に引出し可能に取付けた引出体（引出本体を構成する）２と、この引出体２に引出し可能に取付けた補助体（引出体２の操作の際の手置きとしても機能する）３とに、操作機能を構成する操作部４を備えている。
【００１７】
ラック１には、電気機器、例えば図示外の音響機器（これ以外に、例えば映像機器等でもよい）を収容しており、この音響機器には操作用として各種の操作機能を備えているが、これらの操作機能は、後述する引出体２や補助体３の外面において、パネル状に配設された複数（第１乃至第３）の操作部４（図４〜図６参照）で構成されている。
【００１８】
引出体２は、収納部１１から引出したときに露出する上面部分に音響機器の各種操作を行う第１の操作部４Ａ（図４参照）を配設している。なお、本実施の形態では、この引出体２は、収納部１１の上下方向に複数個を積層配設しているが、単一の引出体であってもよい。なお、この引出体２には、ラック１に収納された状態から容易に手などで引出せようにするため、例えば引出体２の下面部分などに外部から手などを差込んで係止させることができる把持手段として、図示外の窪みなどを形成してある。
【００１９】
補助体３は、引出体２の下部から引出し可能な状態に取付けられており、引出体２から引出したときに露出する上面に音響機器の第１の操作部４Ａとは異なる操作を行う第２の操作部４Ｂ（図５参照）を配設している。さらに、この補助体３は、引出体２の下部から引出した状態で９０度上方に起立させるために、９０度だけ回動可能に構成されており、起立した状態のときに正面となる下面にも、音響機器の第１、第２の操作部とは異なる操作を行う第３の操作部４Ｃ（図６参照）を配設している。
【００２０】
第１の操作部４Ａは、図８或いは図１１に示すように、引出体２を大きく引出しラック１から外部に露出させて使用するものであり、多数の操作ボタンや摘みなどが配設された第１パネルＰ１（図４、５参照）に設置されており、普段よく使用する操作ボタンや摘みなど（通常操作機能）で構成されている。
【００２１】
第２の操作部４Ｂは、図９に示すように、ラック１から補助体３のみが外部に露出するように引出体２の先から補助体３を引出して使用するものであり、多数の操作ボタンや摘みなどが配設された第２パネルＰ２（図５参照）に設置されており、詳細操作或いは詳細設定の際に使用する操作ボタンや摘みなど（詳細操作機能）で構成されている。
【００２２】
第３の操作部４Ｃは、図１０或いは図１１に示すように、ラック１から補助体３の起立面のみが外部に露出するように引出体２の先から補助体３を引出して起立させて使用するものであり、複数の操作ボタンや摘みなどが配設された第３パネルＰ３（図６、７参照）に設置されており、簡易操作の際に使用する操作ボタンや摘みなど（簡易操作機能）で構成されている。
【００２３】
この第３パネルＰ３において、簡易操作機能を構成する操作ボタンや摘みなどの配置状態としては、図７（Ａ）に示すように、音量調節摘み４１と、これ以外の例えばミュージック、カラオケ、講演、ムービー、・・・などの用途のみをそれぞれセッティングする選択ボタン４２、４３、４４、４５、・・・とだけでよい構成となっている。
【００２４】
なお、この第３パネルＰ３において、簡易操作機能を構成する操作ボタンや摘みなどの配置状態としては、図７（Ａ）に示すもの以外に、同図（Ｂ）に示すように、音量調節摘み４１と、例えば会場１、会場２、会場３、会場４、・・・などの使用する場所のみをそれぞれ指定する選択ボタン４６、４７、４８、４９、・・・とで構成してもよい。
【００２５】
次に、本実施形態に係るラック１に対する引出体２及び補助体３の取付け構造について図３を参照しながら説明する。
（１）引出体２について：
引出体２は、第１の操作部４Ａを配設した図示外の第１パネルが搭載されるベース板２１と、このベース板２１の両側面に螺着したスライド板２２と、このスライド板２２をスライド自在に把持するスライドレール２３と、スライドレール２３を螺着しラック１に固定する取付板２４とを備えており、ベース板２１と一体の第１パネル４１を手前に引っ張ると、スライド板２２がスライドレール２３に沿って手前側にスライド移動してくるように構成されている。
【００２６】
（２）補助体３について：
補助体３は、第２の操作部４Ｂを配設した図示外の第２パネル及び第３の操作部４Ｃを配設した図示外の第３パネルが実装される補助ベース板３１と、ベース板２１の両側面においてスライド板２２が取付けてある部分よりも手前部分に螺着された補助スライド板３２と、補助スライド板３２の長孔３２Ａを貫通して補助ベース板３１に螺着させ、補助スライド板３２に補助ベース板３１をスライド及び回動可能に取付ける段付きねじ３３とを備えており、補助ベース板３１が補助スライド板３２に沿って手前側にスライド移動するとともに９０度起立するまで回動移動するように構成されている。
【００２７】
また、この補助ベース板３１には、水平状態のままベース板２１側に一時的に保持させておく水平ロック手段として、略コ字型の水平ロック部材３４がベース板２１側に対向する基端面に固着されている。さらに、この補助ベース板３１が起立した状態を一時的に保持させておくために、この補助ベース板３１にはロック穴３１Ａを設けている一方、このロック穴３１Ａに対向するラック１の所定位置にはロック穴に入り込む図示外のボール（剛球）と、このボールに対して外部に向かう弾性力を付与した図示外のばねとが設けられており、これらが起立ロック手段を構成している。
【００２８】
従って、本実施の形態によれば、引出体２及び補助体３の各表面ばかりでなく補助体３の下面も利用して、各種の操作機能が効率的に配置されているので、ラック１において、引出体２の設置高さを大幅に、例えば従来ならば５Ｕ（およそ２２．２５ｃｍ、但し、１Ｕは４４．５ｍｍである。なお、「Ｕ」はＥＩＡ規格でのラックパネルサイズの単位。）は必要としていた引出体２の高さＨ０を３Ｕ（およそ１３．３５ｃｍ）の高さＨへ短縮することができる。
【００２９】
次に、本実施の形態に係る音響機器のラック１における操作部のセット方法について、図面を参照しながら詳細に説明する。
（１）通常操作の場合：
ラック１に収納されている状態の引出体２を補助体３と一体のまま手前に引出せば、図８に示すように、引出体２の上面に第１パネルＰ１が露出した状態となる。これにより、第１の操作部４Ａ、即ち、普段よく使用する操作ボタンや摘みなどが使用しやすい配置状態が設定される。
【００３０】
（２）詳細操作の場合：
ラック１に収納されている引出体２を収納させた状態のまま、補助体３のみを引出体２から手前に引出せば、図９に示すように、補助体３の上面に第２パネルＰ２が露出した状態となる。これにより、第２の操作部４Ｂ、即ち、詳細操作或いは詳細設定の際に使用する操作ボタンや摘みなどが使用しやすい配置状態が設定される。
【００３１】
（３）簡易操作の場合：
ラック１に収納されている引出体２を収納させた状態のまま、補助体３のみを引出体２から手前に引出した後に、その補助体３のみを起立させれば、図１０に示すように、補助体３の下面部分が正面に配置した状態となり、第３パネルＰ３が露出する。これにより、第３の操作部４Ｃ、即ち、簡易操作の際に使用する操作ボタンや摘みなどが使用しやすい配置状態が設定される。
【００３２】
（４）複合操作の場合：
ラック１に収納されている引出体２を引出すとともに、補助体３を引出体２から手前に引出して起立させれば、図１１に示すように、引出体２の上面に第１パネルＰ１が露出するとともに、補助体３の上面に第２パネルＰ２が露出し、かつ、補助体３の下面部分が正面に配置した状態となる。これにより、第１の操作部４Ａ〜第３の操作部４Ｃ、即ち、普段よく使用する操作ボタンや摘み、詳細操作或いは詳細設定の際に使用する操作ボタンや摘み、簡易操作の際に使用する操作ボタンや摘みなどが使用しやすい配置状態が設定される。
【００３３】
従って、また本実施の形態によれば、例えば、簡易操作の際に使用する操作ボタンや摘みのみを外部に配置させる一方、詳細操作或いは詳細設定の際に使用する操作ボタンや摘みのみを外部に見えない状態で収納可能である。従って、音響機器用の操作機器の取り扱いに不慣れな初心者であっても、複雑な操作機器に惑わされたり誤操作することなく、簡易な操作機器のみの操作を確実、かつ、容易に行うことができる。
【００３４】
一方、これらの操作に習熟したベテランの操作にあっては、普段頻繁に使用する単純で簡易な操作から多数の複雑な操作まで、コンパクトに集約配置されているので、手や体を大きく移動させなくても、一箇所で集中的に操作することが可能となり、使い勝手も向上する。
【００３５】
なお、本実施の形態では、補助体３は、引出体２に対して引出自在で、かつ、その引出体２に対して起立状態まで回動可能に構成したが、例えば、引出体２に対してヒンジ部などを介して回動のみが可能となる単純な構成のもの（起立体）でもよい。このように構成した場合には、起立体が起立したときに、正面部分に相当する面に操作群を設置すればよい。また、この起立体の起立状態は引出体２をラック１の収納部に収納させた状態のまま行えるように構成するとよい。
【００３６】
【発明の効果】
以上説明してきたように、本発明は、電気機器を収容するラックの収納部から引出し自在に設けた引出本体と、引出本体から一部だけ引出し可能に設けた補助体とに、電気機器の操作を行う操作機能を備えた操作装置であって、引出本体を収納部から引出したときに露出する引出本体の上面に配設した電気機器の各種操作を行う、操作機器の一部である第１の操作部と、引出本体から引出したときに露出する補助体の上面に配設した電気機器の第１の操作部とは異なる操作を行う、操作機器の一部である第２の操作部とを備えた構成となっている。
【００３７】
従って、本発明によれば、最小限のスペースで、しかも簡単な構造のもので、機器を操作する第１の操作部と第２、第３の操作部を設けることができるとともに、普段頻繁に使用する操作機能と普段使用しない操作機能とを、簡単に区分することができ、操作者が誤操作することを防止することができる。
【図面の簡単な説明】
【図１】本発明の実施の形態に係る音響機器の操作装置の要部を使用する際の状態を示す概略斜視図である。
【図２】本発明の実施の形態に係る音響機器の操作装置を示すものであり、（Ａ）はその一部を使用する際の要部を示す概略斜視図、（Ｂ）は収納した状態を示す概略斜視図である。
【図３】本発明の実施の形態に係る音響機器の操作装置の引出体及び補助体を示す分解斜視図である。
【図４】本発明の実施の形態に係る音響機器の操作装置において、第１の操作部を引出体上面の第１パネルに取付けた状態を示す概略斜視図である。
【図５】本発明の実施の形態に係る音響機器の操作装置おいて、第２の操作部を補助体上面の第２パネルに取付けた状態を示す概略斜視図である。
【図６】本発明の実施の形態に係る音響機器の操作装置において、第３の操作部を補助体下面の第３パネルに取付けた状態を示す概略斜視図である。
【図７】（Ａ）は本発明の実施の形態に係る音響機器の操作装置において、第３パネルに配置した第３の操作部の具体例を示す説明図、（Ｂ）は同第３の操作部の変形例を示す説明図である。
【図８】本発明の実施の形態に係る音響機器の操作装置において、通常操作時の設定状態を示す概略斜視図である。
【図９】本発明の実施の形態に係る音響機器の操作装置において、詳細操作時の設定状態を示す概略斜視図である。
【図１０】本発明の実施の形態に係る音響機器の操作装置において、簡易操作時の設定状態を示す概略斜視図である。
【図１１】本発明の実施の形態に係る音響機器の操作装置において、複合操作時の設定状態を示す概略斜視図である。
【図１２】従来の音響機器を示す概略斜視図である。
【符号の説明】
１        ラック
１１      収納部
２        引出体（引出本体）
２１      ベース板
２２      スライド板
２３      スライドレール
２４      取付板
３        補助体
３１      補助ベース板
３１Ａ    ロック穴
３２      補助スライド板
３３      段付きねじ
４        操作部
４Ａ      第１の操作部
４Ｂ      第２の操作部
４Ｃ      第３の操作部
４１      音量調節摘み
４２、４３、４４、４５
選択ボタン
４６、４７、４８、４９
選択ボタン
Ｈ        引出体の高さ
Ｐ１      第１パネル
Ｐ２      第２パネル
Ｐ３      第３パネル
【図１】
2004153441.tif 000003
【図２】
2004153441.tif 000004
【図３】
2004153441.tif 000005
【図４】
2004153441.tif 000006
【図５】
2004153441.tif 000007
【図６】
2004153441.tif 000008
【図７】
2004153441.tif 000009
【図８】
2004153441.tif 000010
【図９】
2004153441.tif 000011
【図１０】
2004153441.tif 000012
【図１１】
2004153441.tif 000013
【図１２】
2004153441.tif 000014